(57)【要約】【課題】  下水道などの搬送路に危険な不純物が混入した場合、できるだけ迅速に搬送路を遮断して危険を防止することの可能な搬送路遮断装置を提供すること。【解決手段】  液体或いは気体の搬送路壁に給排可能な弾性体からなる袋体を炉壁に密着して設置し、該袋体に気体或いは液体を充填することにより該袋体を膨張させ搬送路を遮断する。【選択図】図１
2018053427.tif 000002
【特許請求の範囲】
【請求項１】
液体或いは気体が搬送される搬送路の路壁に設置される給排可能な弾性体からなる袋体であって、気体或いは液体が充填されると前記搬送路を実質的に遮断する袋体を備えることを特徴とする搬送路遮断装置。
【請求項２】
請求項１記載の搬送路遮断装置において、前記袋体が設置される前記搬送路の路壁に前記袋体の非膨張時の厚みに略相当する窪みが設けられることを特徴とする搬送路遮断装置。
【請求項３】
請求項１もしくは２記載の搬送路遮断装置において、前記袋体は、前記搬送路の搬送方向に沿って分割された複数の給排可能な弾性体からなる袋小体であることを特徴とする搬送路遮断装置。
【請求項４】
請求項１乃至３のうちいずれか１項記載の搬送路遮断装置において、前記搬送路の路壁と前記弾性体の一部とがバンドで接続されることを特徴とする搬送路遮断装置。
【請求項５】
前記袋体には複数の給排口が設けられることを特徴とする請求項１乃至４のうちいずれか１項記載の搬送路遮断装置。
【請求項６】
搬送路遮断装置を形成する搬送路の途中に別の搬送路が接続される場合、前記搬送路と前記別の搬送路との接続部分に設けられる袋体の該接続部分に開口部が設けられるとともに該別の搬送路にも前記袋体が備えられることを特徴とする請求項１乃至５のうちいずれか１項記載の搬送路遮断装置。
【発明の詳細な説明】
【技術分野】
【０００１】
本発明は、例えば搬送路遮断装置に係り、特に例えば上水道管、下水道管、暗渠管、農業用水管、各種パイプライン等の主として液体を搬送する管路或いは気体を搬送する管路等の搬送路の内壁に装備される搬送路遮断装置に関する。
【背景技術】
【０００２】
液体や気体を搬送する管渠やパイプライン等の搬送路に、突発的な事故により異物が混入する場合がある。例えば、上水道や下水道に化学薬品やガソリン、或いは加熱油が混入した場合は環境破壊や人的被害或いは火災等の重大な危険につながる。このような場合は迅速に搬送路を遮断して異物の搬送を止めなければならない。
【０００３】
突発的な事故により搬送路を直ちに遮断しなければならないときは、搬送路の一部を開けて遮断装置を挿入していたのでは間に合わないため、常時は搬送の障害にならない形で搬送路中に遮断装置を設置して置き、緊急時に該遮断装置を作動させる必要がある。
【０００４】
従来の搬送路遮断には、搬送路途中に遮断扉を設け、これを電動機や油圧により作動させて搬送路を遮断していた。しかし、搬送路中を流れる液体や気体の圧力に抗して、流れに垂直に遮断扉を閉めるにはかなり堅固な扉構造とパワーが必要である。
【０００５】
また、通常時には、搬送路の外側に搬送路を横切る大きさの遮断扉を設置しなければならず設置場所や設置工事が膨大なものになってしまう上、設置方法によっては搬送路の流路を乱してしまう恐れがある。
【０００６】
さらに、遮断扉の開閉に電動モータを用いると、搬送路中に引火性のある液体や気体が混入した場合は電気火花による引火爆発の危険性がある。
【０００７】
上記のような制限に鑑み、特許文献１においては、搬送路を横断する枠体を複数段設け、この枠体内にゴム等の弾性体からなる袋体を収納し、該袋体に流体を満たして膨張させ搬送路（流路）を遮断するという技術思想が開示されている。これによれば、袋体に供給する流体量を加減することにより搬送路の流量制御を行うことができる。
【０００８】
従来の遮断扉のような機械駆動部がなく、袋体に流体を給排させるだけであるから、搬送路中に引火物が混入しても引火の危険がない点にメリットを見出し得ると推量される。しかし、搬送路中に搬送路を横断する大きな枠体を設けるため、搬送路中を流れる流体の障害となるうえ、流体の流路が大幅に乱されてしまう。特に、下水道のように液体中に固体も含まれる場合は、枠体に引っ掛って流路の障害になる恐れがある。
【先行技術文献】
【特許文献】
【０００９】
【特許文献１】特開２００３−４１５５６号公報
【発明の概要】
【発明が解決しようとする課題】
【００１０】
上述のようなこれまでの問題点に照らして、本願は、下水道などの搬送路に危険な不純物が混入した場合、できるだけ迅速に搬送路を遮断して危険を防止することの可能な搬送路遮断装置を提供することを課題とする。
【００１１】
遮断装置を動作させない通常時において、遮断装置が搬送路の搬送をできるだけ妨げないようにすることを可能とする搬送路遮断装置を提供することを第２の課題とする。
【００１２】
搬送路遮断には、引火の危険のある電気モータを使用しないこと、及びできるだけ酸化、腐食の恐れのある金属機械動作部を使用しないことを可能とする搬送路遮断装置を提供することを第３の課題とする。
【課題を解決するための手段】
【００１３】
かかる課題を解決するため、本発明の第一の態様に係る搬送路遮断装置は、搬送路の路壁に（密着）配置される弾性体からなる給排可能な袋体であって気体或いは液体を充填可能な袋体を備えて構成される。かかる構成によれば、該袋体に気体或いは液体を充填することにより該袋体を膨張させ搬送路を実質的に遮断することが可能となる。
【００１４】
上記態様においては、上記袋体が設置される上記搬送路の路壁に上記袋体の非膨張時の厚みに略相当する窪みが設けられるとする第二の態様をとることもできる。この第二の態様は、第一の態様を採用したときに、万が一、袋体が一様に膨張せず遮断効果が薄れる恐れや、不使用時に垂れ下がりや浮き上がりの恐れがある場合であっても、搬送路中の流体抵抗をさらに減少させることができる。
【００１５】
上記構成においては、袋体として、搬送路の搬送方向に沿って分割された複数の弾性体からなる袋小体が用いられるとする第三の態様をとることもできる。かかる態様によれば、複数の袋小体が互いに膨張することにより、断面の密閉性がより高まり、遮断効果が向上する。
【００１６】
第一の態様においては、袋体の一部から搬送路壁に向けて設置される複数の弾性体からなるバンドを更に備えるとする第四の態様をとることもできる。本態様によれば、第二の態様と同様の効果が期待できるだけでなく、設置工事はより容易であり、更に、不使用時には袋体が管壁に押しつけられるため、流路妨害を少なくすることができる。
【００１７】
上記のいずれの態様においても、袋体に複数の給排口が設けられる構成をとることとすれば、この給排口から迅速に搬送路遮断を行うことが可能となる。
【００１８】
本願発明の更に別の態様として、搬送路遮断装置を形成する搬送路の途中に別の搬送路が接続される場合、上記搬送路と上記別の搬送路との接続部分に設けられる袋体の該接続部分に開口部が設けられるとともに該別の搬送路にも上記袋体が備えられるようにすることもできる。この態様によれば、搬送路に別の搬送路が接続されるような状態であっても取合部に設けられた開口部から点検することが容易にでき、取合の交差部分に生じ得る搬送路の搬送機能の故障／劣化を防止もしくは最大限回避することができる。
【発明の効果】
【００１９】
本発明によれば、上記袋体に圧搾空気あるいは炭酸ガスの様な気体或いは液体を急速充填することにより袋体が膨張して搬送路を急激に遮断する。遮断には電気を使用しないため火災の危険はなく、機械的作動部がないため腐食による故障を発生する危険もない。
【００２０】
さらに、本発明の搬送路遮断装置が動作していない場合は、搬送路の路壁に密着しているため搬送路中の流体搬送をほとんど妨げることがなく、流路を乱すことはない。
【図面の簡単な説明】
【００２１】
【図１】本発明の一実施形態に係る搬送路遮断装置の設置断面図である。
【図２】本発明の一実施形態に係る搬送路遮断装置の遮断動作断面図である。
【図３】本発明の一実施形態に係る搬送路遮断装置の複数袋体を用いた例である。
【図４】本発明の一実施形態に係る搬送路遮断装置の別の応用例である。
【図５】本発明の一実施形態に係る搬送路遮断装置の開搬送路応用例である。
【図６】本発明の一実施形態に係る搬送路遮断装置の装備説明図である。
【図７】本発明の一実施形態に係る他の搬送路遮断装置の装備説明図である。
【発明を実施するための形態】
【００２２】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００２３】
図１は、本発明の一実施形態に係る搬送路遮断装置１００を円形パイプ状の搬送路１に設置した場合の断面図である。本発明の搬送路遮断装置１００は、円筒状の袋体２とこの袋体２に気体あるいは液体を給水あるいは給気し、及び排出するための給排出装置７を備えて構成されている。円筒状の袋体２は搬送路１の内壁に沿って全体に密着して設置され、袋体２には袋体内部に通ずる給水あるいは給気、及び排出の給排口３が設置されている。
【００２４】
給排口３にはパイプライン４を通して圧縮気体ボンベ５や気体あるいは液体の送排出機６を備えて構成される給排出装置７によって気体あるいは液体を円筒状の袋体２に供給あるいは排出することができる。
【００２５】
円筒状の袋体２は、ネオプレンゴムのような伸縮性のある素材で形成されており、搬送路遮断装置１００が不動作時には、袋体から気体あるいは液体が排出されて円筒状の袋体２は収縮し、図１の如く搬送路壁に密着するため搬送路中の搬送には殆ど支障をきたさない。本発明の実際の装備例としてはマンホール１１の至近が好ましい。また、袋体２を設置する部分の搬送路壁を、袋体２の非膨張時の厚みに相当する長さだけ窪ませておけば、搬送路中の流体抵抗をさらに減少させることができる（図示せず）。
【００２６】
図２は、図１のごとく設置した搬送路遮断装置１００の円筒状の袋体２に気体あるいは液体を送出し、円筒状の袋体２が膨張して搬送路１を遮断した場合を示す断面図である。円筒状の袋体２は、搬送路１を完全に遮断できるよう搬送路１の搬送方向に必要十分な長さをもたせるものとする。
【００２７】
図３は、図１の単数の袋体２が膨張するときのヨレの発生を防ぐため、本発明の別態様として、４つの袋体（２−１〜２−４）を用いて、搬送路１の遮断効果をより高めることができる構成としたものである。もちろん各袋体には給排口３（３−１〜３−４）が設置され同時に気体あるいは液体が給排される。図３の（ａ）は袋体２−１〜２−４を搬送路１に取付けた状態を示し、図３の（ｂ）は袋体２−１〜２−４を膨張させ搬送路１を遮断した状態を示している。搬送路１の口径や形状によって袋体２の分割個数を増減させてもよい。
【００２８】
図４は、袋体２は単数であるが、バネやゴム索のような弾性体バンドＢ（Ｂ１〜Ｂ８）によって単数に係る袋体２の一部と搬送路壁とを接続し、図３の（ｂ）に示した袋体分割と同様の効果により搬送路１の遮断効果を高めることができる構成を採用した更に別の態様を示している。この場合、不動作時には弾性体バンドＢによって袋体が搬送路壁にしっかり固定されることにより、流体抵抗を更に減少させる効果も生ずる。図３の袋体分割と同様に、搬送路１の口径や形状によって弾性体バンドＢの個数を増減させてもよい。また、袋体を急速に膨張させるために給排口を複数設けてもよい。
【００２９】
上記の説明においては、断面が円形のパイプのような閉搬送路に本発明を応用した場合を例にとったが、断面が角型或いは楕円等色々な形状に容易に応用できることはいうまでもない。また、本発明は閉搬送路ばかりでなく、図５のごとく配水路のような開搬送路５１にも容易に応用できる。
【００３０】
また、図６は、搬送路途中の大型枡１０中で搬送路の一部を延長し、その延長部分に袋体を取付けた本発明の搬送路遮断装置を装備することにより設置工事を容易にした例を示す図である。以上の図５や図６のような応用例は、全て本発明の技術思想に含まれるものである。
【００３１】
図７は、本発明の別の態様に係り、搬送路中を搬送される搬送物が逆流する場合の例を示している。図６と同様に搬送路途中の大型枡１０中に大型枡に接続する両方の搬送路を延長した搬送路７１を新設し、搬送路７１の内部壁面に袋体７２を設置する。かくのごとくすることにより、搬送路中のどちらの方向の搬送も遮断することができる。
【００３２】
上記の別の態様においては、搬送路７１の点検用に点検用搬送路７３がマンホール１１から搬送路７１に接続されている。点検用搬送路７３の内部壁面には袋体７４が設置され、万が一、搬送路７１からの搬送物漏れがあった場合に、点検用搬送路７３を遮断することができるようになっている。もちろん、搬送路７１と点検用搬送路７３との接続部分に点検用開口部が設けられ、袋体７２の当該部分には開口部７５が設けられる。図７の例の実際動作を分かりやすくするため、袋体７２と袋体７４の通常時と膨張時の状態を図７（ａ）と（ｂ）に示す。このように、搬送路１のどちらの方向も遮断でき、点検用搬送路７３も遮断することができる。
【産業上の利用可能性】
【００３３】
上述したように、本願に係る発明によれば、液体や気体の搬送に支障をきたさずに、常時搬送路中に設置しておき、緊急時に直ちに搬送路を遮断することができる。そのうえ、袋体に気体或いは液体を供給するだけであるから火災の危険性はなく、金属可動部がないため腐食劣化を心配することもない。
【００３４】
袋体への供給量によって、搬送路の遮断ばかりでなく搬送量の制御をすることも可能であり、搬送路一般のメンテナンスにも応用することができる。このように本発明は、環境保全、災害防止に効果を発揮すると共に、土木、建設業等の作業の安全性及び作業性を格段に向上させつつ、経済効率も格段に向上させ、各種産業に対して大きな有益性をもたらすものであり、産業上の利用可能性は非常に大きい。
【符号の説明】
【００３５】
１…搬送路、２…袋体、３…給排口、４…パイプライン、５…圧縮気体ボンベ、６…送排出機、７…給排出装置、１０…大型枡、１１…マンホール、５１…開搬送路、１００…搬送路遮断装置、Ｂ…弾性体バンド、７１…搬送路、７２…袋体、７３…点検用搬送路、７４…袋体、７５…開口部
【図１】
2018053427.tif 000003
【図２】
2018053427.tif 000004
【図３】
2018053427.tif 000005
【図４】
2018053427.tif 000006
【図５】
2018053427.tif 000007
【図６】
2018053427.tif 000008
【図７】
2018053427.tif 000009